(57)【要約】【課題】１個のポットに複数の幼苗を植え込むことができ、しかも保管時に嵩張らず使い勝手がよく、また使用後における廃棄処理性に優れた植物育苗ポットを得る。【解決手段】水平フランジの枠体内に２〜４個の有底容器を、各有底容器の上端開口縁部は、隣接容器開口縁との接線部分を隣接容器開口縁部に、また水平フランジ枠体に対向する縁部を水平フランジ枠体に、それぞれ相互一体に接合保持させて保持させる。これにより１個のポットを複数の幼苗を互いに根絡みすることなく植生できるよう２〜４区分に仕切られているにも拘わらず、使用の前後や保管に積み重ねが自在で嵩張らず、また生産コストも削減できるのみならず廃棄に際しても積み重ねにより嵩張ることがない。【選択図】図１
0003150832.tif 000002
【実用新案登録請求の範囲】
【請求項１】
枠体を構成する水平フランジと、該水平フランジの枠体内に保持させたところの、内部に土壌および種子・幼苗類を収容可能な２〜４個の有底容器とからなり、各有底容器の上端開口縁部は、隣接容器開口縁との接線部分を互いの隣接容器開口縁部に、また水平フランジ枠体に対向する縁部を水平フランジ枠体に、それぞれ相互一体に接合保持させてなることを特徴とした植物育苗ポット。
【請求項２】
水平フランジ枠体が略方形であるところの請求項１に記載の植物育苗ポット。
【請求項３】
水平フランジの外周端縁部には補強リブが形成されているところの請求項１に記載の植物育苗ポット。
【請求項４】
各有底容器の壁面には縦方向に向けた補強リブが施されているところの請求項１〜３のいずれか１に記載の植物育苗ポット。
【考案の詳細な説明】
【技術分野】
【０００１】
本考案は、花卉類あるいは野菜などの植物の幼苗生育・出荷に好適な小型のポットの改良に関し、１個のポットに複数の幼苗を植え込むことができるとともに、植物育苗ポットの生産効率向上およびコストの低減をはかり、しかも保管時に嵩張らず使い勝手がよく、また使用後における廃棄処理性に優れるようにしたことを特徴とするものである。
【背景技術】
【０００２】
一般的に種子から発芽した幼苗を生育させる場合には、上端を開口させた有底のポットを単独で個々に用い、ポット内に土とある程度の肥料を入れて種子や幼苗を植えつけるようにした単一型のポット〔たとえば実開平５−４３８３８号公報（特許文献１）の図１参照〕、あるいは運搬や作業性向上を目的として上端が開口された円形または方形の樹脂材からなる簡易な容器を多数個連結状に成型した連結型ポット（上記特許文献１の図２参照）が知られている。
【０００３】
またトレーに多数のポットを収容した育苗装置〔特開２００１−１４８９４３号公報（特許文献２）参照〕なども知られている。上記した特許文献１および２に記載された単一型あるいは結合型いずれのものにあっても、ポット入りの育苗植物を販売店で購入した後、ポット内より土つきの植物苗を取り出して庭先などに移植する場合に、１個のポット内に入っている植物苗は１個であるために、例えば２０個の植物苗を購入して移植する場合においては２０個のポットを必要とする。
【０００４】
この場合に１個のポット内に複数の幼苗を植え込んで販売することも不可能ではないが、この場合には幼苗の生長とともに互いの根毛が絡み合い、移植に際して複数の幼苗を分離するのが難しく、根毛を傷めて定植時に根巻き部分の除去作業を必要とし、また定植後における活着性が失われやすいこと、さらに使用後のポット廃棄量も多くなるなどといった課題が残る。
【０００５】
そこで本考案者は、ポット内に該ポット内を３等分など複数の区画に分画できる複数の分画板を一体結合させた仕切り材（現在当業者間においては「プロペラ」とよばれている）を取り外し自在に装入できるようにした植物育苗ポットを開発した〔実用新案登録第３１２４７３９号公報（特許文献３）参照〕。これにより幼苗の根絡みがなく移植作業性に優れ、しかも底コストで廃棄量軽減を達することができるポットを得ることができた。
【先行技術文献】
【特許文献】
【０００６】
【特許文献１】実開平５−４３８３８号公報
【特許文献２】特開２００１−１４８９４３号公報
【特許文献３】実用新案登録第３１２４７３９号公報
【考案の概要】
【考案が解決しようとする課題】
【０００７】
しかし、特許文献３のポットの場合には、ポット以外にプロペラを別部品として製作する必要があり、しかもポットの使用時にプロペラをポット内に取り付ける手間がかかること、またポットの使用後においては取り外したプロペラがポットとは別体の廃棄物として残ることになり、プロペラをポット内に入れたままでは複数個以上のポットを重ね置きすることができないために著しく嵩張り、とくに保管時や移植後の廃棄ポットの量も多くなる。またその使用材質がポリエチレンなどが多いために焼却にも問題が残る。
【課題を解決するための手段】
【０００８】
上記の課題を解決するために、本考案においてはポット内に取り外し自在のプロペラを無くし、しかも１個のポットを２〜４区分に仕切られているにも拘わらず、積み重ね自在の構成としたもので、具体的には枠体を構成する略方形などの水平フランジと、該水平フランジの枠体内に保持させたところの、内部に土壌および種子・幼苗類を収容可能な２〜４個の有底容器とからなり、各有底容器の上端開口縁部は、隣接容器開口縁との接線部分を隣接容器開口縁部に、また水平フランジ枠体に対向する縁部を水平フランジ枠体に、それぞれ相互一体に接合保持させてなることを特徴とする。
【考案の効果】
【０００９】
本考案は上記したように、水平フランジの枠体内に２〜４個の有底容器を、各有底容器の上端開口縁部は、隣接容器開口縁との接線部分を隣接容器開口縁部に、また水平フランジ枠体に対向する縁部を水平フランジ枠体に、それぞれ相互一体に接合保持させて保持させたために、１個のポットを複数の幼苗を互いに根絡みすることなく植生できるよう２〜４区分に仕切られているにも拘わらず、使用の前後や保管に積み重ねが自在で嵩張らず、また生産コストも削減できるのみならず廃棄に際しても積み重ねにより嵩張ることがない。
【図面の簡単な説明】
【００１０】
【図１】本考案に係る植物育苗ポットを斜め上方より見た全体斜視図。
【図２】本考案に係る植物育苗ポットを斜め下方より見た全体斜視図。
【図３】本考案に係る植物育苗ポットの平面図。
【図４】本考案に係る植物育苗ポットを６個積み重ねた状態を表した斜視図。
【図５】本考案に係る植物育苗ポットの使用状態をあらわした参考図。
【考案を実施するための形態】
【００１１】
以下において本考案の実施の形態について図１〜図５により詳細に説明をする。同図において１は本考案に係る植物育苗ポットをあらわしており、具体的には、２は水平フランジ、４〜６は有底容器をあらわしている。水平フランジ２は植物育苗ポットの枠体を構成するものであり、図の実施例においては角部を丸めて略正方形状とするとともに、その外周端縁部には無端状の補強リブ３が形成されている。
【００１２】
また有底容器４〜６は、それぞれ内部に土壌および種子・幼苗類を収容可能な大きさで、底部に水抜き溝４ａ・５ａ・６ａが開設されているとともに、上端開口縁部を前記した水平フランジ２の枠体内、すなわち補強リブ３の内側の水平なフランジ２の中央部分に保持させている。
【００１３】
具体的には上記した有底容器４〜６を３個集合状態とし各上端の開口縁部において、隣接する有底容器４と５、および５と６、および６と４のそれぞれの開口縁との接線部分７・８・９を互いの隣接容器開口縁部に、また水平フランジ２の枠体に対向する縁部１０・１１・１２を水平フランジ枠体２に、それぞれ相互一体に接合保持させてなる。
【００１４】
なお、この場合における有底容器４〜６を３個集合状態とし各上端の開口縁部において、隣接する有底容器４と５、および５と６、および６と４のそれぞれの開口縁との接線部分７・８・９を互いの隣接容器開口縁部に、また水平フランジ２の枠体に対向する縁部１０・１１・１２を水平フランジ枠体２に、それぞれ相互一体に接合保持させる手法としては、一般的にはポリプロピレン、ビニール、ポリエチレンなど比較的薄手の合成樹脂材を用いて金型内に射出成型するなどの手段によってその全体を１個に成型することができる。
【００１５】
この場合に使用材質として好ましくは生分解性樹脂を用いると環境汚染の問題も完全に解決できる。上記の水平フランジ枠体２および各有底容器４〜６は比較的薄手の材質のものであって、しかもある程度張りのあるものが理想的である。なお図において１３ａ・１３ｂは有底容器４の開口縁部と水平フランジ枠体２との接合角部を補強するための補強段部、１４ａは有底容器５の開口縁部と水平フランジ枠体２との接合角部を補強するための補強段部、１５ａは有底容器６の開口縁部と水平フランジ枠体２との接合角部を補強するための補強段部をあらわしている。
【００１６】
また１６ａは有底容器４の外側壁面に縦方向に向けて形成した外側補強リブ、１７ａは有底容器５の外側補強リブ、１８ａは有底容器４の外側補強リブ、１６ｂは有底容器４の内側壁面に縦方向に向けて形成した内側補強リブ、１７ｂは有底容器５の内側補強リブ、１８ｂは有底容器６の内側補強リブをそれぞれあらわしている。
【００１７】
なお上記の実施例においては枠体を構成する水平フランジ２に対して３個の有底容器４・５・６を保持させる場合について説明をしたが、水平フランジ２に保持させる有底容器の数についてはこのほかにも２個の有底容器を対向させて保持させ、あるいは４個の有底容器を保持させるようにしてもよい。この場合に５個以上にすると、育苗の装入スペースが狭すぎて好ましくなく、また育苗ポット１を大型化しても有底容器の数が増えることにより、かえって育苗の取り扱い性が悪くなる。
【００１８】
上記により有底容器の数については２〜４個までの範囲内であること、また育苗ポット１の具体的な大きさについても水平フランジ２の平面直径が、７ｃｍ〜１５ｃｍの範囲内であるのが好ましい。さらに育苗ポット１の枠体を構成する水平フランジ２の形状についても必ずしも略正方形状に限定されるものではなく、このほかにもたとえば一辺の長さに対して他辺の長さが幾分長い長方形状とし、あるいは円形や楕円形状であってもよい。
【００１９】
本考案にあっては上記したように、１個のポットを複数の幼苗を互いに根絡みすることなく植生できるよう２〜４区分に仕切られているにも拘わらず、その使用の前後において図４にあらわしたように積み重ねが自在（図４では６個の育苗ポット１を積み重ねた状態をあらわしている）で嵩張らず、また生産コストも削減できるのみならず保管や廃棄に際しても嵩張ることがない。さらに定植後における幼苗の活着性を阻害しない。
【００２０】
上記した実施例の構成において、水平フランジ２に保持されている各有底容器４・５・６内に花卉類あるいは野菜類などの植物の種子や幼苗を土や肥料とともに植え込んで一定期間育苗し、図５に例示したようにある程度成長した時点で造園企業やホームセンターなど花卉類販売企業、学校などに販売し、あるいは直接に花卉店などの店頭に展示して販売に供する。
【００２１】
購入者は庭園や花壇、菜園、などに移植するに際し、幼苗部分を手で支えつつ育苗ポットを逆さにすることにより土ごと各幼苗を育苗ポットから取り出すことができ、その後１苗毎に根毛を傷めることなく完全な状態で移植することができる。
【符号の説明】
【００２２】
１        植物育苗ポット
２        水平フランジ
３        補強リブ
４        有底容器
５        有底容器
６        有底容器
７        接線部分
８        接線部分
９        接線部分
１０      縁部
１１      縁部
１２      縁部
１３ａ    補強段部
１３ｂ    補強段部
１４ａ    補強段部
１５ａ    補強段部
１６ａ    外側補強リブ
１６ｂ    内側補強リブ
１７ａ    外側補強リブ
１７ｂ    内側補強リブ
１８ａ    外側補強リブ
１８ｂ    内側補強リブ
【図１】
0003150832.tif 000003
【図２】
0003150832.tif 000004
【図３】
0003150832.tif 000005
【図４】
0003150832.tif 000006
【図５】
0003150832.tif 000007